(57)【要約】【課題】清酒本来の香味が保持され、且つ香味のバラつきを防止できるエタノール濃度低減清酒を製造すること。【解決手段】少なくともエタノールと香り成分を含む清酒からエタノール及び香り成分を蒸留するエタノール及び香り成分蒸留工程と、エタノール及び香り成分蒸留工程において分離されたエタノール及び香り成分から、香り成分をＰＶ膜又はＲＯ膜により分離する膜処理工程と、エタノール及び香り成分蒸留工程を経た清酒に、膜処理工程で分離された香り成分を添加して該清酒に香気を付与する香り成分添加工程と、を含むエタノール濃度低減清酒の製造方法であって、エタノール及び香り成分蒸留工程における蒸留を、０℃超１０℃以下の温度下において行うこと。【選択図】図１
2014176370.tif 000002
【特許請求の範囲】
【請求項１】
少なくともエタノールと香り成分を含む清酒からエタノール及び香り成分を蒸留するエタノール及び香り成分蒸留工程と、
前記エタノール及び香り成分蒸留工程において分離された前記エタノール及び香り成分から、香り成分をＰＶ膜又はＲＯ膜により分離する膜処理工程と、
前記エタノール及び香り成分蒸留工程を経た清酒に、前記膜処理工程で分離された前記香り成分を添加して該清酒に香気を付与する香り成分添加工程と、
を含むエタノール濃度低減清酒の製造方法であって、
前記エタノール及び香り成分蒸留工程における蒸留を、０℃超１０℃以下の温度下において行うことを特徴とするエタノール濃度低減清酒の製造方法。
【請求項２】
前記香り成分添加工程を経た前記清酒に、添加物を添加する工程を更に備えることを特徴とする請求項１記載のエタノール濃度低減清酒の製造方法。
【請求項３】
少なくともエタノールと香り成分を含む清酒からエタノール及び香り成分を蒸留するエタノール及び香り成分蒸留手段と、
前記エタノール及び香り成分蒸留手段において分離された前記エタノール及び香り成分から、香り成分を分離するＰＶ膜又はＲＯ膜と、
前記エタノール及び香り成分蒸留手段によって前記エタノール及び香り成分が分離された清酒に、前記ＰＶ膜又はＲＯ膜によって分離された前記香り成分を添加して香気を付与する香り成分添加手段と、
を有することを特徴とするエタノール濃度低減清酒の製造システムであって、
前記エタノール及び香り成分蒸留手段における蒸留が、０℃超１０℃以下の温度下において行われることを特徴とするエタノール濃度低減清酒の製造システム。
【請求項４】
前記エタノール及び香り成分蒸留手段は、回転円錐カラムであることを特徴とする請求項３記載のエタノール濃度低減清酒の製造システム。
【請求項５】
前記香り成分添加手段を経た前記清酒に、添加物を添加する添加手段を更に備えることを特徴とする請求項３又は４記載のエタノール濃度低減清酒の製造システム。
【発明の詳細な説明】
【技術分野】
【０００１】
本発明は、エタノール濃度低減清酒の製造方法及び製造システムに関し、より詳しくは、清酒本来の香味が保持され、且つ香味のバラつきを防止できるエタノール濃度低減清酒の製造方法及び製造システムに関する。
【背景技術】
【０００２】
近年、エタノール濃度が低減されたワイン等の酒類が普及している。
【０００３】
特許文献１、２は、回転円錐カラムを用いて、ワインのエタノール濃度を低減する方法について開示している。
【０００４】
また、特許文献３に記載の方法では、ワインを、まず逆浸透膜で処理して膜透過液及び膜非透過液を得、該膜透過液を更にパーベーパレーション処理して低アルコール含有液を得る。そして、この低アルコール含有液に、上記膜非透過液を添加して、低アルコールワインを得るとしている。
【０００５】
一方、酒類の一つである清酒については、従来、エタノール濃度を低減した商品は、ほとんど普及していない。
【先行技術文献】
【特許文献】
【０００６】
【特許文献１】特開昭６１−２７４７０５号公報
【特許文献２】特開平７−２２６４６号公報
【特許文献３】特開平４−２２２５８５号公報
【発明の概要】
【発明が解決しようとする課題】
【０００７】
特許文献３は、上述した低アルコールワインの製造方法と同様の方法を清酒の場合に適用することも開示しているが、清酒原料の全量を逆浸透膜で処理するものであるため、処理効率が得られ難い問題がある。また、低エタノール濃度とされた製品に、清酒本来の香味を保持する観点でも、改善の余地があった。
【０００８】
一方、特許文献１、２に記載される回転円錐カラムは、処理効率の面では優れるが、清酒の場合に適用しようとすると、清酒本来の香味が損なわれ易い問題があった。
【０００９】
また、特に清酒においては、エタノール濃度が香味（特に辛み）に影響し易いため、低エタノール濃度とされた製品のエタノール濃度にバラつきが生じると、香味のばらつきが大きくなる問題もある。
【００１０】
そこで、本発明の課題は、清酒本来の香味が保持され、且つ香味のバラつきを防止できるエタノール濃度低減清酒の製造方法及び製造システムを提供することにある。
【００１１】
更にまた、本発明の他の課題は、以下の記載によって明らかとなる。
【課題を解決するための手段】
【００１２】
上記課題は、以下の各発明によって解決される。
【００１３】
１．
少なくともエタノールと香り成分を含む清酒からエタノール及び香り成分を蒸留するエタノール及び香り成分蒸留工程と、
前記エタノール及び香り成分蒸留工程において分離された前記エタノール及び香り成分から、香り成分をＰＶ膜又はＲＯ膜により分離する膜処理工程と、
前記エタノール及び香り成分蒸留工程を経た清酒に、前記膜処理工程で分離された前記香り成分を添加して該清酒に香気を付与する香り成分添加工程と、
を含むエタノール濃度低減清酒の製造方法であって、
前記エタノール及び香り成分蒸留工程における蒸留を、０℃超１０℃以下の温度下において行うことを特徴とするエタノール濃度低減清酒の製造方法。
【００１４】
２．
前記香り成分添加工程を経た前記清酒に、添加物を添加する工程を更に備えることを特徴とする前記１記載のエタノール濃度低減清酒の製造方法。
【００１５】
３．
少なくともエタノールと香り成分を含む清酒からエタノール及び香り成分を蒸留するエタノール及び香り成分蒸留手段と、
前記エタノール及び香り成分蒸留手段において分離された前記エタノール及び香り成分から、香り成分を分離するＰＶ膜又はＲＯ膜と、
前記エタノール及び香り成分蒸留手段によって前記エタノール及び香り成分が分離された清酒に、前記ＰＶ膜又はＲＯ膜によって分離された前記香り成分を添加して香気を付与する香り成分添加手段と、
を有することを特徴とするエタノール濃度低減清酒の製造システムであって、
前記エタノール及び香り成分蒸留手段における蒸留が、０℃超１０℃以下の温度下において行われることを特徴とするエタノール濃度低減清酒の製造システム。
【００１６】
４．
前記エタノール及び香り成分蒸留手段は、回転円錐カラムであることを特徴とする前記３記載のエタノール濃度低減清酒の製造システム。
【００１７】
５．
前記香り成分添加手段を経た前記清酒に、添加物を添加する添加手段を更に備えることを特徴とする前記３又は４記載のエタノール濃度低減清酒の製造システム。
【発明の効果】
【００１８】
本発明によれば、清酒本来の香味が保持され、且つ香味のバラつきを防止できるエタノール濃度低減清酒の製造方法及び製造システムを提供することができる。
【図面の簡単な説明】
【００１９】
【図１】本発明に係るエタノール濃度低減清酒の製造方法の一例を示す工程図
【図２】本発明に係るエタノール濃度低減清酒の製造システムの一例を示す説明図
【図３】回転円錐カラムの概略断面側面図
【図４】回転円錐カラムにおける清酒原料の循環回数あるいは接触キャリアガス流量と、処理後エタノール濃度との関係の一例を示す相関図
【図５】本発明に係るエタノール濃度低減清酒の製造システムの他の例を示す説明図
【発明を実施するための形態】
【００２０】
以下に、図面を参照して本発明を実施するための形態について説明する。
【００２１】
本発明において、原料として用いられる清酒は、例えば酒税法（特に酒税法３条７号）上の清酒であり、具体的には、米、米こうじ及び水、あるいはこれらに清酒粕等を加えて発酵させ、濾したものや、清酒に清酒粕を加えて、濾したもの等を好ましく例示でき、そのアルコール濃度は、１０質量％以上２２質量％以下（好ましくは２２質量％未満）であることが好ましく、１２質量％以上１８質量％以下であることがより好ましい。
【００２２】
清酒に含まれる香り成分としては、酢酸エチル等のエステル類、アセトアルデヒド、ブチルアルデヒド、カプロンアルデヒド、フルフラール、バニリン等のアルデヒド類、プロパノール、ブタノール、アミルアルコール（ペンチルアルコール）、フェネチルアルコール等のアルコール類等が挙げられる。
【００２３】
本発明は、清酒（原料）のエタノール濃度を所定濃度まで低減する際に好適に用いられる。
【００２４】
図１は、本発明に係るエタノール濃度低減清酒の製造方法の一例を示す工程図である。
【００２５】
まず、少なくともエタノールと香り成分を含む清酒は、エタノール及び香り成分蒸留工程に供され、当該清酒中のエタノール及び香り成分が分離される。
【００２６】
エタノール及び香り成分蒸留工程に用いられる香り成分蒸留手段としては、０℃超１０℃以下の温度下においてエタノール及び香り成分を蒸留できるものであれば格別限定されないが、後述する回転円錐カラムを好適に用いることができる。
【００２７】
エタノール及び香り成分蒸留工程において分離された前記エタノール及び香り成分は、ＰＶ膜又はＲＯ膜を用いた膜処理工程に供され、ここで香り成分がエタノールから分離される。
【００２８】
次いで、香り成分添加工程では、エタノール及び香り成分蒸留工程を経た清酒分画、即ち、香り成分およびエタノールが除去された分画に、膜処理工程からの香り成分、即ちエタノールが除去された香り成分を添加して、該清酒に香気を付与する。
【００２９】
本発明によれば、香り成分に同伴されるエタノールが除去されたことにより、当該香り成分の添加に伴うエタノール濃度の再上昇が防止される。その結果、エタノール及び香り成分蒸留工程において調整された清酒のエタノール濃度が、香り成分の添加後においても好適に保持され、エタノール濃度を、精度よく所望の濃度としたエタノール濃度低減清酒を、確実且つ効率的に製造することができる効果が得られる。特に、清酒においては、エタノール濃度が味覚（特に辛み）に影響し易いが、本発明によれば、エタノール濃度低減清酒における味覚のばらつきを防止できる効果が得られる。
【００３０】
更に、ＰＶ膜又はＲＯ膜を用いる膜処理工程では、エタノールを高度に除去する一方で、清酒本来の香気を実質的に構成する香り成分を好適に保持することができ、エタノール濃度低減清酒に、エタノール濃度の上昇を招くことなく、清酒本来の香気を好適に付与できる効果も得られる。
【００３１】
また更に、本発明では、エタノール及び香り成分蒸留工程における蒸留を、０℃超１０℃以下という低温下で行うことにより、清酒に含まれるアミノ酸、タンパク質などの変性を防止でき、このことも、本発明により得られるエタノール濃度低減清酒の香味の保持に寄与しているものと考えられる。
【００３２】
図２は、本発明に係るエタノール濃度低減清酒製造方法を実施するためのエタノール濃度低減清酒製造システムの一例を示す説明図である。
【００３３】
図２において、１は回転円錐カラム、２は凝縮器、３は真空ポンプ、４は浸透気化膜（以下、ＰＶ膜という場合がある。）、５は凝縮器、６は真空ポンプである。
【００３４】
本態様において、少なくともエタノールと香り成分を含む清酒（原料）は、エタノール及び香り成分蒸留手段である回転円錐カラム１に導入され、該回転円錐カラム１において、０℃超１０℃以下の温度下において、キャリアガスとの気液接触によって、エタノール及び香り成分が気相（キャリアガス）に分離・回収される（エタノール及び香り成分蒸留工程）。
【００３５】
本態様に係る回転円錐カラム１として用いられる回転円錐カラムの構成例について、図３を参照して説明する。
【００３６】
図３は、回転円錐カラムの概略断面側面図である。
【００３７】
１００は回転円錐カラムであり、密封可能な塔型の本体１０１内にハウジング１０２が設けられている。
【００３８】
ハウジング１０２は、上部に、清酒原料を導入するための液体入口１１０ａと、キャリアガスを排出するためのガス出口１２０ｂと、を有し、下部には、処理後の清酒原料を排出する液体出口１１０ｂと、キャリアガスを導入するためのガス入口１２０ａと、を有している。
【００３９】
１０３は、ハウジング１０２内の上部側から下部側に架け渡された回転自在の中心軸であり、１０３ａは、該中心軸１０３を回転させるためのモーターである。
【００４０】
中心軸１０３には、該中心軸１０３の回転に伴って回転自在の第１反転円錐１０４が取り付けられている。
【００４１】
第１反転円錐１０４は、上下反転させた円錐、つまり頂点を下に向けた円錐の底面ではない曲面部の板状の円錐面により構成されている。第１反転円錐１０４の回転軸は、中心軸１０３と同軸である。
【００４２】
第１反転円錐１０４は、ハウジング１０２の内壁との間に液体の流通を可能とする間隙を残すように延長されている。
【００４３】
また、各々の第１反転円錐１０４の下面には、該下面から延長された少なくとも１つのひれ１０４ａが設けられていることが好ましい。
【００４４】
中心軸１０３には、このような第１反転円錐１０４が、上下方向（中心軸１０３の軸方向）に所定のピッチで複数設けられている。
【００４５】
１０５は、ハウジング１０２の内壁から第１反転円錐１０４の下側に隣接するように延長された第２反転円錐である。
【００４６】
第２反転円錐１０５もまた、上下反転させた円錐、つまり頂点を下に向けた円錐の底面ではない曲面部の板状の円錐面により構成されている。第２反転円錐１０５は、ハウジング１０２側に固定され、上側に配置されている第１反転円錐１０４との間に液体の流通を可能とする間隙を保持して、該第１反転円錐１０４と略平行に配置されている。
【００４７】
第２反転円錐１０５の頂点近傍は切欠されており、これにより、中心軸１０３との間に液体の流通を可能とする間隙を形成している。
【００４８】
ハウジング１０２の内壁には、このような第２反転円錐１０５が、上下方向に、第１反転円錐１０４と同じ所定のピッチで複数設けられている。
【００４９】
図示の例では、複数の第１反転円錐１０４と、複数の第２反転円錐１０５とが、上下方向に沿って、液体の流通を可能とする間隙を介して、１つずつ交互に配置されている。
【００５０】
１３０は、ハウジング１０２内の温度を所定温度に保持するためのジャケット（温度調節手段）であり、該ジャケット１３０は、冷水の入口１３０ａと出口１３０ｂを有している。
【００５１】
使用時には、清酒原料を、液体入口１１０ａを通じて、本体１０１のハウジング１０２内の上部に供給すると共に、該清酒原料からの香り成分を回収するためのキャリアガスを、ガス入口１２０ａを通じて、ハウジング１０２内の下部に供給する。
【００５２】
供給された清酒原料の少なくとも一部が、ハウジング１０２内に滞留している間に、中心軸１０３は、モーター１０３ａの動力により回転させられる。
【００５３】
ハウジング１０２内において、液体入口１１０ａから液体出口１１０ｂへ向かう清酒原料は、第１反転円錐１０４の中心軸１０３側の表面に流れ込むと、該第１反転円錐１０４の回転により外方（中心軸１０３と反対方向）に分散させられる。次いで、外方に分散された清酒原料は、下側の第２反転円錐１０５の中心軸１０３と反対側の表面に流れ込み、該表面が有するテーパに沿って内方（中心軸１０３の方向）に流下させられる。
【００５４】
流下された清酒原料は、更に下側に設けられた第１反転円錐１０４の中心軸１０３側の表面に流れ込み、上記と同様の過程を繰り返しながら、ハウジング１０２内を下降し、下方の液体出口１１０ｂへ向かう。
【００５５】
一方、ハウジング１０２内の下部に供給されたキャリアガスは、複数の第１反転円錐１０４及び第２反転円錐１０５の間を通過しながら、つまり、上述した清酒原料の流れと同様の経路を逆行しながら、ハウジング１０２内を上昇し、上方のガス出口１２０ｂへ向かう。
【００５６】
このような過程において、清酒原料の流れは、逆方向に向かうキャリアガスの流れと向流接触させられ、清酒原料中の香り成分をガス中に抽出する。
【００５７】
香り成分が除去された清酒原料と、液体からのエタノール及び香り成分を含有させたキャリアガスは、それぞれ、液体出口１１０ｂと、ガス出口１２０ｂより回収される。
【００５８】
ガス出口１２０ｂより回収されたエタノール及び香り成分は、凝縮器２に導入され、ここで香り成分が、凝縮物として、キャリアガスから分離される。このとき、香り成分と共にエタノールも凝縮され、香り成分に同伴する。凝縮器２にトラップされたエタノール及び香り成分は、ＰＶ膜４へ移送される。
【００５９】
凝縮器２を通過した後のキャリアガスをガス入口１２０ａに返送する返送配管１２０ｃを設けて、キャリアガスを循環し、繰り返し使用することが好ましい。
【００６０】
また、エタノール及び香り成分の除去をより高度に行う等の観点で、液体出口１１０ｂからの清酒原料を、回転円錐カラム１に返送する返送機構を設け、繰り返し処理を行ってもよい。
【００６１】
本態様において、回転円錐カラム１の運転条件は、ハウジング内の圧力が、−９０ｋＰａＧ〜１０ｋＰａＧの範囲であることが好ましい。このとき、ハウジング内の温度が、０℃超１０℃以下の範囲であることが重要である。
【００６２】
ハウジング１０２内の温度の設定は、例えば、上述したジャケット（温度調節手段）１３０等により行うことができる。また、圧力の設定は、例えば、キャリアガスを流通させるための真空ポンプ３の動力等により調節できる。
【００６３】
なお、回転円錐カラム１におけるキャリアガスの流通のためには、必ずしも真空ポンプ３を用いる必要はなく、ガス入口１２０ａ側にファンやコンプレッサーを設けて行ってもよい。
【００６４】
本発明では、回転円錐カラム１でのエタノール及び香り成分蒸留処理により、清酒中のエタノール濃度は、所望の濃度まで低減される。
【００６５】
図４は、回転円錐カラムにおける清酒原料の循環回数あるいは接触キャリアガス流量と、処理後エタノール濃度との関係の一例を示す相関図である。
【００６６】
図４に示されるように、回転円錐カラム１における処理後エタノール濃度は、当該回転円錐カラム１における清酒原料の循環回数あるいは接触キャリアガス流量（ここではＮ２を用いた）の設定により所望の濃度に設定することができる。
【００６７】
このように、エタノール濃度を所望の値まで低減する操作を容易且つ高精度にする観点でも、エタノール蒸留手段として、回転円錐カラムを用いることが好ましい。
【００６８】
凝縮器２は、ガス出口１２０ｂからのキャリアガスを導入し、これを冷却することで、液体状のエタノール及び香り成分をトラップする。
【００６９】
本態様では、このエタノール及び香り成分の混合物を、ＰＶ膜４に供給し、脱エタノール処理する（膜処理工程）。
【００７０】
つまり、凝縮器２にトラップされた上述の液体状の混合物を、ＰＶ膜４と接触させ、真空ポンプ６により減圧状態とされた膜透過側に、エタノールを蒸気として分離する。分離されたエタノール蒸気は、凝縮器５によって液化してトラップすることができる。香り成分は、ＰＶ膜４の膜非透過側（供給側）から回収される。
【００７１】
本発明において、ＰＶ膜４としては、減圧状態にある膜透過側にエタノールを選択的に気化して分離できるものであれば格別限定されない。香り成分の膜透過を好適に防止する観点では、例えば、疎水性のゼオライト分離膜等を好ましく用いることができる。
【００７２】
疎水性のゼオライト分離膜としては、例えば、天然のゼオライトや、人工のシリカライトにより構成された膜が挙げられ、これらは適宜表面を疎水化処理して用いられる。
【００７３】
疎水化処理されたゼオライト分離膜としては、ゼオライト（シリカライト）膜表面に脂肪族炭化水素等の高分子やチタン等を導入したものを好ましく用いることができ、中でもゼオライト（シリカライト）膜表面にチタンを導入してなるチタノシリケート膜を用いることが好ましい。
【００７４】
ＰＶ膜４の形態は、格別限定されず、例えば、中空糸膜状や平膜状のものを好ましく用いることができる。
【００７５】
ＰＶ膜４の膜透過側の領域は、絶対圧（真空）として１ｋＰａ〜１００ｋＰａの範囲の圧力とすることが好ましく、膜非透過側（供給側）の領域は、０ＰａＧ〜０．２ＭＰａＧの範囲の圧力とすることが好ましい。
【００７６】
また、ＰＶ膜４に供給されるエタノール及び香り成分の混合物は、１０℃〜６０℃の範囲に加温されていることが好ましい。
【００７７】
ＰＶ膜４でのかかる脱エタノール処理により、エタノール濃度が、好ましくは、０．３質量％〜０．４質量％（好ましくは未満）の範囲、より好ましくは、０．００１質量％〜０．３質量％（好ましくは未満）の範囲まで低減された香り成分（清酒由来香り成分）が得られる。
【００７８】
得られた香り成分は、移送配管（添加手段）４１により、回転円錐カラム１からの、エタノール及び香り成分が除去された清酒に添加される。
【００７９】
本発明によれば、香り成分に同伴されるエタノールが除去されたことにより、当該香り成分の添加に伴うエタノール濃度の再上昇が防止される。その結果、エタノール及び香り成分蒸留手段である第１回転円錐カラム１において所望の濃度に調整された清酒のエタノール濃度が、香り成分の添加後においても好適に保持され、エタノール濃度を、精度よく所望の濃度としたエタノール濃度低減清酒を、確実且つ効率的に製造することができる効果が得られる。特に、清酒においては、エタノール濃度が味覚（特に辛み）に影響し易いが、本発明によれば、エタノール濃度低減清酒における味覚のばらつきを防止できる効果が得られる。
【００８０】
更に、ＰＶ膜は、エタノールを高度に除去する一方で、清酒本来の香気を実質的に構成する香り成分を好適に保持することができ、エタノール濃度低減清酒に、エタノール濃度の上昇を招くことなく、清酒本来の香気を好適に付与できる効果も得られる。
【００８１】
更に、本発明では、回転円錐カラム１における蒸留を、０℃超１０℃以下という低温下で行うことにより、清酒に含まれるアミノ酸、タンパク質などの変性を防止でき、このことも、本発明により得られるエタノール濃度低減清酒の香味の保持に寄与しているものと考えられる。
【００８２】
回転円錐カラム１に用いられるキャリアガスとしては、格別限定されるものではないが、例えば、窒素、アルゴン、ヘリウム、二酸化炭素等が例示でき、清酒の風味を好適に保持する観点では、特に窒素が好ましい。
【００８３】
以上の説明では、エタノール及び香り成分蒸留工程におけるエタノール及び香り成分蒸留手段として、回転円錐カラム１を用いる場合について示したが、本発明はこれに限定されるものではなく、０℃超１０℃以下の温度下において清酒からエタノール及び香り成分を蒸留し得る香り成分蒸留手段であれば、好適に用いることができ、例えば、減圧蒸留塔などを好ましく例示できる。
【００８４】
また、以上の態様においては、必ずしもＰＶ膜４で回収された香り成分の全量がエタノール濃度低減清酒に添加される必要はなく、一部であってもよい。本発明によれば、香り成分の全量を添加しても、エタノールが高度に除去されていることにより、例えばエタノール濃度０．００５質量％未満を好適に保持できる効果が得られる。
【００８５】
以上の説明では、ＰＶ膜４により脱エタノール処理された香り成分（清酒由来香り成分）を、回転円錐カラム１からのエタノール及び香り成分が除去された清酒に添加する場合を示したが、本態様は、必ずしもこれに限定されるものではなく、清酒由来香り成分を、清酒や、清酒以外の他の飲料等に添加してもよく、これにより、エタノール濃度の上昇を防止しながら、飲料等に清酒の香気を付与（新たに付与する場合であっても、香気を増強する場合であってもよい）することができる。
【００８６】
図５は、本発明に係るエタノール濃度低減清酒の製造システムの他の例を示す説明図であり、分離膜として、ＰＶ膜に代えてＲＯ膜を備える場合の一例を示している。図中、図２と同符号は同構成を指し、図２を参酌して行った説明が援用される。
【００８７】
図５の例では、凝縮器２において回収されたエタノール及び香り成分の混合物は、加圧ポンプ６’により加圧された状態で逆浸透（ＲＯ）膜４’に供給される。エタノールはＲＯ膜４’を透過して除去され、香り成分が非透過側（供給側）から回収される。
【００８８】
回収された香り成分は、移送配管（添加手段）４１により回転円錐カラム１での処理後の清酒に添加され、エタノール濃度低減清酒が得られる。
【００８９】
本発明においては、得られるエタノール濃度低減清酒のエタノール濃度を、例えば８質量％以下の所定値に調整することで、辛味の抑えられた、例えば女性等にも受け入れられ易いものとすることができる。
【００９０】
また、本発明によれば、これより更にエタノール濃度を低減することも可能であり、実質的にエタノールを含まない清酒、具体的にはエタノール濃度が０．００質量％である（０．００５質量％未満である）清酒を確実に製造できる。
【００９１】
また、本発明では、エタノール濃度低減清酒の風味（香気成分、酸味調整）などを整える等の目的で、香り成分添加工程を経た清酒に、香料や酸やみりん等の調味料などの添加物を、不図示の添加手段により適宜添加することができる。
【実施例】
【００９２】
以下に、本発明の実施例について説明するが、本発明はかかる実施例に限定されない。
【００９３】
１．分離膜としてＰＶ膜を用いた実施例
（実施例１）
図２に示したエタノール濃度低減清酒の製造システム（分離膜としてＰＶ膜４を使用）を用いて、清酒（エタノール濃度１５質量％）を原料として用い、下記運転条件で、エタノール濃度低減清酒を製造した。
【００９４】
＜運転条件＞
・回転円錐カラム１
温度：１０℃
絶対圧：０．１１３ｂａｒ
原料供給量（循環１回分）：１００ｋｇ／ｈ
原料繰り返し循環処理回数：１２回
接触キャリアガス（Ｎ２）流量：１０ｋｇ／ｈ
下記I〜VIで示した箇所におけるマテリアルバランス及び組成を表１に示した。なお、下記I〜VIで示した箇所は、図２中に符号I〜VIで示した箇所に対応する。
I：処理前清酒原料
II：第１回転円錐カラム１での処理後の液相（清酒分画）
III：第１回転円錐カラム１での処理後の気相を凝縮した液（香り成分分画）
IV：ＰＶ膜４を透過した蒸気を凝縮した液（エタノール分画）
V：ＰＶ膜４を透過しない液（香り成分分画）
VI：上記II液に上記V液を添加した液（エタノール濃度低減清酒）
【００９５】
【表１】
2014176370.tif 000003
【００９６】
（実施例２）
実施例１において、第１回転円錐カラム１における接触キャリアガス（Ｎ２）流量を８０ｋｇ／ｈとしたこと以外は、実施例１と同様にして、エタノール濃度低減清酒を製造した。
上記I〜VIで示した箇所におけるマテリアルバランス及び組成を表２に示した。
【００９７】
【表２】
2014176370.tif 000004
【００９８】
２．分離膜としてＲＯ膜を用いた実施例
（実施例３）
図５に示したエタノール濃度低減清酒の製造システム（分離膜としてＲＯ膜４’を使用）を用いて、清酒（エタノール濃度１５質量％）を原料として用い、下記運転条件で、エタノール濃度低減清酒を製造した。
【００９９】
＜運転条件＞
・回転円錐カラム１
温度：１０℃
絶対圧：０．１１３ｂａｒ
原料供給量（循環１回分）：１００ｋｇ／ｈ
原料繰り返し循環処理回数：１２回
接触キャリアガス（Ｎ２）流量：１０ｋｇ／ｈ
下記I〜VIで示した箇所におけるマテリアルバランス及び組成を表３に示した。なお、下記I〜VIで示した箇所は、図５中に符号I〜VIで示した箇所に対応する。
I：処理前清酒原料
II：第１回転円錐カラム１での処理後の液相（清酒分画）
III：第１回転円錐カラム１での処理後の気相を凝縮した液（香り成分分画）
IV：ＲＯ膜４’を透過した液（エタノール分画）
V：ＲＯ膜４’を透過しない液（香り成分分画）
VI：上記II液に上記V液を添加した液（エタノール濃度低減清酒）
【０１００】
【表３】
2014176370.tif 000005
【０１０１】
（実施例４）
実施例３において、第１回転円錐カラム１における接触キャリアガス（Ｎ２）流量を８０ｋｇ／ｈとしたこと以外は、実施例３と同様にして、エタノール濃度低減清酒を製造した。
上記I〜VIで示した箇所におけるマテリアルバランス及び組成を表４に示した。
【０１０２】
【表４】
2014176370.tif 000006
【０１０３】
＜評価＞
表１〜４より、本発明によれば、エタノール及び香り成分蒸留手段（回転円錐カラム１）において、清酒中のエタノール濃度を所望の濃度まで低減できることがわかる。更に、この所望の濃度は、後に添加される香り成分に混入するエタノールが予めＰＶ膜又はＲＯ膜により除去されていることにより、香り成分の添加後まで好適に保持されることがわかる。
【０１０４】
このように、エタノール濃度低減清酒におけるエタノール濃度が所望の濃度に調整可能であるということは、即ち、エタノール濃度のバラつきを原因とする香味のバラつきを防止できることを示している。
【０１０５】
また、実施例１〜４により得られたエタノール濃度低減清酒は、官能試験により、清酒本来の香味が好適に保持されることが確認された。この理由は、主に、０℃超１０℃以下の温度下での蒸留によりタンパク質等の変性が防止されたこと、および、一度清酒から蒸留された香り成分を再添加したことによるものと推定される。
【０１０６】
なお、実施例１〜４では、接触キャリアガス流量の条件を設定することにより、エタノール濃度の設定を行う場合について示したが、エタノール濃度の設定のための条件設定はこれに限定されるものではなく、図４にも示した通り、原料の循環回数などの条件設定によっても好適に行うことができる。
【符号の説明】
【０１０７】
１：第１回転円錐カラム（香り成分蒸留手段）
２：凝縮器
３：真空ポンプ
４：浸透気化（ＰＶ）膜
４’：逆浸透（ＲＯ）膜
４１：移送配管
５：凝縮器
６：真空ポンプ
６’：加圧ポンプ
７：第２回転円錐カラム（エタノール蒸留手段）
８：凝縮器
９：真空ポンプ
【図１】
2014176370.tif 000007
【図２】
2014176370.tif 000008
【図３】
2014176370.tif 000009
【図４】
2014176370.tif 000010
【図５】
2014176370.tif 000011